(57)【要約】【課題】鉄筋コンクリート梁部材のＸ形配筋において、施工を簡略にするとともに、Ｘ形主筋の座屈を防止する。【解決手段】Ｘ形に交差させて配置される複数本のＸ形主筋２を有する梁部材１の配筋構造であって、座屈防止用の補強筋をコ形に形成したコ形座屈補強筋５を、前記複数本のＸ形主筋２に対し少なくとも二方向から当接するように配設する。これによって、複数本のＸ形主筋２はコ形座屈補強筋５に拘束され、Ｘ形主筋２の座屈を防止することができる。また、コ形座屈補強筋５の配設は、他の部材鉄筋を組み立てた後に差し込むだけであり、施工を簡略化できる。【選択図】図１
2006002523.tif 000002
【特許請求の範囲】
【請求項１】
Ｘ形に交差させて配置される複数本のＸ形主筋を有する鉄筋コンクリート梁部材の配筋構造であって、
座屈防止用の補強筋をコ形に形成したコ形座屈補強筋を、前記複数本のＸ形主筋に対し少なくとも二方向から当接するように配設することを特徴とする配筋構造。
【請求項２】
前記コ形座屈補強筋を、前記鉄筋コンクリート梁部材の一断面において一対毎対向させるように配設することを特徴とする請求項１に記載の配筋構造。
【請求項３】
前記コ形座屈補強筋を、前記Ｘ形主筋に対するかぶりコンクリートが薄い部位、及び前記Ｘ形主筋が大きな曲げ応力が作用する部位に配設することを特徴とする請求項１又は２に記載の配筋構造。
【発明の詳細な説明】
【技術分野】
【０００１】
本発明は、鉄筋コンクリート梁部材の配筋構造に関する。
【背景技術】
【０００２】
一般に、鉄筋コンクリートからなるスパンの短い梁は、スパンの長い梁に対して変形性能が劣っている。このため、スパンの短い梁においては、変形性能を確保するために、図４に示すような平行配筋の梁ではなく、図５に示すような主筋をＸ形に配設するＸ形配筋の梁を使用することがある。
【０００３】
このＸ形配筋は、主筋が部材間を斜めに配設されるため、平行配筋のように剪断補強筋が主筋を直接拘束することができない。よって、主筋の座屈を直接拘束するものはコンクリートのみであり、もし外力により部材が変形を受けコンクリートが破損した場合には、主筋はコンクリートの拘束効果を失い座屈を生じる恐れがある。主筋が座屈すると、部材は急激な耐力低下を起こし、ついには建物の崩壊に至る恐れがある。
【０００４】
Ｘ形配筋における主筋の座屈対策としては、座屈補強筋で主筋を束ねる方法が知られている。座屈補強筋の配設の仕方としては、図６に示すような、平行に配設されたＸ形主筋２群を、Ｘ形主筋２群の軸方向に対して垂直に束ねる方法（例えば、特許文献１参照）と、図７に示すような、複数のＸ形主筋２群を、部材軸方向に対して垂直に束ねる方法がある。また、これら座屈補強筋５ｂの形状としては、両端部を溶接して環状にする溶接閉鎖形、又は両端部に主筋に掛けるためのフックを設けたフック付口形が用いられる。
【特許文献１】特開平６−３０６９５２号公報
【発明の開示】
【発明が解決しようとする課題】
【０００５】
しかしながら、座屈補強筋により、複数のＸ形主筋群を、部材軸方向に対して垂直に束ねる方法だと、異なる大きさに座屈補強筋を加工する必要があった。また、溶接閉鎖形及びフック付口形の方法は共に、座屈補強筋の組み立ての際に剪断補強筋が邪魔になる上に、座屈補強筋組み立て時までにあらかじめＸ形主筋を座屈補強筋に挿入しておく必要があった。さらに、溶接閉鎖形の方法では、座屈補強筋を溶接閉鎖する必要があり、フック付口形の方法では、座屈補強筋の端部を先曲げ加工する必要があり、施工が煩雑になるという問題があった。
【０００６】
本発明の課題は、鉄筋コンクリート梁部材のＸ形配筋において、施工を簡略にするとともに、Ｘ形主筋の座屈を防止することである。
【課題を解決するための手段】
【０００７】
以上の課題を解決するため、請求項１に記載の発明は、例えば図１に示すように、Ｘ形に交差させて配置される複数本のＸ形主筋２を有する鉄筋コンクリート梁部材（例えば、梁部材１）の配筋構造であって、
座屈防止用の補強筋をコ形に形成したコ形座屈補強筋５を、前記複数本のＸ形主筋２に対し少なくとも二方向から当接するように配設することを特徴としている。
【０００８】
請求項１に記載の発明によれば、コ形座屈補強筋を複数本のＸ形主筋に対して少なくとも二方向から当接させて配設するため、コ形座屈補強筋に当接したＸ形主筋は直接拘束され、これらのＸ形主筋の座屈を防止することができる。また、コ形座屈補強筋の配設は、他の部材鉄筋を組み立てた後に差し込むだけであり、施工を簡略化できる。
【０００９】
請求項２に記載の発明は、例えば図１（ｂ）及び（ｃ）に示すように、前記コ形座屈補強筋５を、前記鉄筋コンクリート梁部材の一断面において一対毎対向させるように配設することを特徴としている。
【００１０】
請求項２の発明によれば、コ形座屈補強筋を、前記鉄筋コンクリート梁部材の一断面において一対毎対向させるように配設することによって、コ形座屈補強筋の両端部をコアコンクリート内に定着させることができる。このコアコンクリートとは、外力によって損傷しやすいかぶりコンクリートに対し、損傷の恐れが少ない健全なコンクリート部分のことである。このように、コ形座屈補強筋の両端部がＸ形主筋を跨ぎコアコンクリートに定着することによって、コ形座屈補強筋によるコ形座屈補強筋内部のコンクリートへの拘束力が強くなる。よって、コ形座屈補強筋内部に配設されたＸ形主筋が拘束されることになり、従来の溶接閉鎖形及びフック付口形の座屈補強筋と同程度のＸ形主筋に対する座屈防止機能を得ることができる。
【００１１】
請求項３に記載の発明は、例えば図２に示すように、請求項１又は２に記載の配筋構造において、前記コ形座屈補強筋５を、前記Ｘ形主筋２に対するかぶりコンクリート６が薄い部位、及び前記Ｘ形主筋２が大きな曲げ応力が作用する部位に配設することを特徴としている。
【００１２】
請求項３に記載の発明によれば、Ｘ形主筋に対するかぶりコンクリートが薄い部位及びＸ形主筋が大きな曲げ応力を受ける部位は、Ｘ形主筋が座屈しやすい部位であり、これらの部位にコ形座屈補強筋を配設することによって、Ｘ形主筋の座屈を防止することができる。
【発明の効果】
【００１３】
本発明によれば、コ形座屈補強筋を複数本のＸ形主筋に対して少なくとも二方向から当接させて配設するため、当接されたＸ形主筋はコ形座屈補強筋に直接拘束され、これらのＸ形主筋の座屈を防止することができる。また、コ形座屈補強筋の配設は、他の部材鉄筋を組み立てた後に差し込むだけであり、施工を簡略化できる。
【発明を実施するための最良の形態】
【００１４】
以下、図を参照して本発明を実施するための最良の形態を詳細に説明する。
（第１の実施形態）
図１は、本発明の第１の実施形態に係る梁部材１の配筋構造を示したものである。この梁部材１は、短スパンの鉄筋コンクリートからなり、Ｘ形配筋構造を有している。また、梁部材１内部には、Ｘ形主筋２群が一対あり、これらのＸ形主筋２群がＸ形に交差して配設されている。さらに、１つのＸ形主筋２群は、２行３列に規則的且つ互いに平行に配列された円形断面を有する６本のＸ形主筋２から構成され、Ｘ形主筋２群の交差部では、Ｘ形主筋２が２本ずつ互い違いに交差している。
【００１５】
また、梁部材１内部には、その四隅に梁部材１軸と平行な円形断面を有する補助筋３が４本配設されており、これらの補助筋３に対して直交するように、円形断面を有する剪断補強筋４が複数巻き付けられている。
【００１６】
図１（ａ）に示すように、この梁部材１の端部及び側面部に、コ形座屈補強筋５が配設される。梁部材１端部には、図１（ｂ）に示すように、コ形座屈補強筋５を上下から差し込み、これらが対向するように配設され、さらに、この際、コ形座屈補強筋５の両端部が梁部材に連結される部材１０，１１へと突出するように、コ形座屈補強筋５は梁部材１軸に対して角度を持たせる。また、梁部材１の側面部には、図１（ｃ）に示すように、一つのＸ形主筋２群に対しコ形座屈補強筋５を両側方から差し込み、これらが対向するように配設される。
【００１７】
また、図１（ｂ）及び（ｃ）に示すように、コ形座屈補強筋５は、６本のＸ形主筋２からなるＸ形主筋２群に対し三方向から当接させて配設する。ここで、図１（ｃ）に示すように、側面部におけるＸ形主筋２群は、一対のコ形座屈補強筋５によって４方向から当接されることになる。
【００１８】
本実施形態に記載の梁部材１の構造によれば、コ形座屈補強筋５を配設する梁部材１端部の上下部は、Ｘ形主筋２の上下部に対するかぶりコンクリート６が薄く、且つ最も大きい曲げ応力が作用する部位であり、また、梁部材１側面部は、Ｘ形主筋２に対するかぶりコンクリート６が比較的薄い部位であり、これらはともにＸ形主筋２が座屈しやすい部位である。これらの部位にコ形座屈補強筋５を配設することによって、Ｘ形主筋２の座屈を防止することができる。
【００１９】
また、梁部材１端部においては、一対のコ形座屈補強筋５を対向させるとともに、その両端部が梁部材に連結される部材１０，１１へと到達するように梁部材１軸に対して角度を持たせて配設するため、図２（ａ）に示すように、コ形座屈補強筋５の両端部をコアコンクリート７に定着させることができる。梁部材１側面部においても、一つのＸ形主筋２群に対しコ形座屈補強筋５を両側方から差し込み、これらを対向するように配設するため、図２（ｂ）に示すように、コ形座屈補強筋５の両端部をコアコンクリート７に定着させることができる。これによって、コ形座屈補強筋５によるコ形座屈補強筋５内部のコンクリートへの拘束力が強くなる。従って、コ形座屈補強筋５内部に配設されたＸ形主筋２が拘束されることになり、従来の溶接閉鎖形及びフック付口形の座屈補強筋と同程度のＸ形主筋２に対する座屈防止機能を得ることができる。
【００２０】
なお、コ形座屈補強筋５の両端部のコアコンクリート７への定着部８，９長さは、コ形座屈補強筋５の径の１５倍程度が好ましい。
【００２１】
さらに、コ形座屈補強筋５はＸ形主筋２群に対し三方向から当接させて配設するため、コ形座屈補強筋５に当接するＸ形主筋２は直接拘束され、これらのＸ形主筋２の座屈を防止することができる。
【００２２】
また、施工の際に、コ形座屈補強筋５の配設は、他の部材鉄筋を組み立てた後に差し込むだけであり、施工を簡略化できる。よって、工期を短縮するとともにコストを低減することができる。さらに、部材鉄筋組み立て後におけるコ形座屈補強筋５の設計変更などにも対応可能である。
【００２３】
（第２の実施形態）
本実施の形態は、第１の実施形態において、梁部材１ａの側面部に、コ形座屈補強筋５ａを６本のＸ形主筋２ａからなるＸ形主筋２ａ群に対し、両側面からは当接させずに上下面の二方向から当接するように配設したものであり、図３は、本実施形態のかぶりコンクリート６ａ及びコアコンクリート７ａの構成を示す梁部材１ａの側面部断面図である。この梁部材１ａは、第１の実施形態と同様、短スパンの鉄筋コンクリートからなり、Ｘ形配筋構造を有している。また、梁部材１ａ内部には、Ｘ形主筋２ａ群が一対あり、これらのＸ形主筋２ａ群がＸ形に交差して配設されている。さらに、１つのＸ形主筋２ａ群は、２行３列に規則的且つ互いに平行に配列された円形断面を有する６本のＸ形主筋２ａから構成され、Ｘ形主筋２ａ群の交差部では、Ｘ形主筋２ａが２本ずつ互い違いに交差している。
【００２４】
また、梁部材１ａ内部には、第１の実施形態と同様に、その四隅に梁部材１ａ軸と平行な円形断面を有する補助筋３ａが４本配設されており、これらの補助筋３ａに対して直交するように、円形断面を有する剪断補強筋４ａが複数巻き付けられている。
【００２５】
この梁部材１ａの端部及び側面部には、第１の実施形態と同様に、コ形座屈補強筋５ａが配設される。梁部材１ａ端部には、コ形座屈補強筋５ａを上下から差し込み、これらが対向するように配設され、さらに、この際、コ形座屈補強筋５ａの両端部が梁部材に連結される部材１０，１１へと突出するように、コ形座屈補強筋５ａは梁部材１ａ軸に対して角度を持たせる。また、梁部材１ａの側面部には、一つのＸ形主筋２ａ群に対しコ形座屈補強筋５ａを両側方から差し込み、これらが対向するように配設される。
【００２６】
図３に示すように、コ形座屈補強筋５ａは、６本のＸ形主筋２ａからなるＸ形主筋２ａ群に対し、両側面からは当接させずに上下面の二方向から当接させて配設する。
【００２７】
本実施形態に記載の梁部材１ａの構造によれば、コ形座屈補強筋５ａはＸ形主筋２ａ群に対し、両側面においては当接しないが、上下面の二方向から当接させて配設するため、コ形座屈補強筋５ａの両端部をコアコンクリート７ａに定着させることができる。これによって、コ形座屈補強筋５ａによるコ形座屈補強筋５ａ内部のコンクリートへの拘束力が強くなる。従って、コ形座屈補強筋５ａ内部に配設されたＸ形主筋２ａが拘束されることになり、従来の溶接閉鎖形及びフック付口形の座屈補強筋と同程度のＸ形主筋２ａに対する座屈防止機能を得ることができる。
その他、第１の実施形態と同様の構成部分については同様の効果を得ることができるので、その説明については省略する。
【００２８】
以上の実施形態においては、各鉄筋の断面形状及び径等は任意であり、その他、具体的な細部構造等についても適宜に変更可能であることは勿論である。
【図面の簡単な説明】
【００２９】
【図１】本発明を適用した第１の実施形態の配筋構造を示すもので、軸方向断面図（ａ）、（ａ）図のＡ−Ａ断面図（ｂ）、（ａ）図のＢ−Ｂ断面図（ｃ）である。
【図２】本発明を適用した第１の実施形態のかぶりコンクリート及びコアコンクリートの構成を示すもので、端部断面図（ａ）、側面部断面図（ｂ）である。
【図３】本発明を適用した第２の実施形態のかぶりコンクリート及びコアコンクリートの構成を示す側面部断面図である。
【図４】従来の鉄筋コンクリート梁部材における平行配筋構造を示すもので、軸方向断面図（ａ）、（ａ）図のＡ−Ａ断面図（ｂ）である。
【図５】従来の鉄筋コンクリート梁部材におけるＸ形配筋構造を示すもので、軸方向断面図（ａ）、（ａ）図のＡ−Ａ断面図（ｂ）である。
【図６】従来の鉄筋コンクリート梁部材のＸ形配筋構造において、座屈補強筋により、平行に配設された主筋群を主筋群の軸方向に対して垂直に束ねた構造を示すもので、軸方向断面図（ａ）、（ａ）図のＡ−Ａ断面図（ｂ）である。
【図７】従来の鉄筋コンクリート梁部材のＸ形配筋構造において、座屈補強筋により、複数の主筋群を、部材軸方向に対して垂直に束ねた構造を示すもので、軸方向断面図（ａ）、（ａ）図のＡ−Ａ断面図（ｂ）である。
【符号の説明】
【００３０】
１，１ａ  梁部材
２，２ａ  Ｘ形主筋
２ｂ  主筋
３，３ａ  補助筋
４，４ａ  剪断補強筋
５，５ａ  コ形座屈補強筋筋
５ｂ  座屈補強筋
６，６ａ  かぶりコンクリート
７，７ａ  コアコンクリート
８，９定着部
１０，１１  梁部材に連結される部材
【図１】
2006002523.tif 000003
【図２】
2006002523.tif 000004
【図３】
2006002523.tif 000005
【図４】
2006002523.tif 000006
【図５】
2006002523.tif 000007
【図６】
2006002523.tif 000008
【図７】
2006002523.tif 000009